(57)【要約】  接続時の携帯電話機の音質調整機能の設定によらず一定の通話品質を保つ。  音声を収音して音声信号に変換する収音部１１と、携帯電話端末２０と所定の通信プロトコルに従って通信する通信部１２と、通信部１２において受信した音声信号を再生する再生部１３とを備え、携帯電話端末２０をハンズフリーで通話可能とするハンズフリー通話装置１０に、音声信号に対して音質を所定の状態に調整するための信号処理を施す信号処理部１４と、通信部１２を介して、通話時の音質を調整するための音質調整機能を有する携帯電話端末２０が通信接続された場合、携帯電話端末２０から音質調整機能に関する情報を取得して、携帯電話端末２０における音質調整機能の停止が可能であると判別した場合には所定の制御コマンドを送信して、携帯電話端末２０の音質調整機能を停止させた上で、信号処理部１４に信号処理を行わせるように制御する制御部１６とを備えさせる。
2008026529.tif 000002
【特許請求の範囲】
【請求項１】
音声を収音して音声信号に変換する収音部と、携帯電話端末と所定の通信プロトコルに従って、前記音声信号を送信するとともに前記携帯電話端末から音声信号を受信する通信部と、前記通信部において受信した音声信号を再生する再生部とを備え、前記携帯電話端末をハンズフリーで通話可能とするハンズフリー通話装置において、
前記収音部において変換した音声信号または前記再生部において再生する音声信号に対して音質を所定の状態に調整するための信号処理を施す信号処理部と、
前記通信部を介して、通話時の音質を調整するための音質調整機能を有する前記携帯電話端末が通信接続された場合、前記携帯電話端末から前記音質調整機能に関する情報を取得して、前記携帯電話端末における前記音質調整機能の停止が可能であると判別した場合には前記携帯電話端末に所定の制御コマンドを送信して、前記携帯電話端末における前記音質調整機能を停止させた上で、前記信号処理部に前記信号処理を行わせるように制御する制御部と、
を備えることを特徴とするハンズフリー通話装置。
【請求項２】
請求項１記載のハンズフリー通話装置において、
前記携帯電話端末の機種毎に、前記信号処理部において前記信号処理の際に使用するパラメータ値を予め対応付けたパラメータ設定テーブルを記憶する記憶部を備え、
前記音質調整機能に関する情報は、前記携帯電話端末の機種に関する情報を含み、
前記制御部は前記パラメータ設定テーブルを参照して、信号処理部において前記信号処理の際に使用するパラメータの値を前記携帯電話端末の機種に予め対応付けられた値に設定すること、
を特徴とするハンズフリー通話装置。
【請求項３】
請求項２記載のハンズフリー通話装置において、
前記信号処理部が音声信号に対して前記信号処理を施す際に用いるパラメータの標準値を記憶する記憶部を備え、
前記制御部は、前記パラメータ設定テーブルに含まれない機種の携帯電話端末が接続された場合には、前記標準値を用いて前記信号処理部に前記音声信号に対して前記信号処理を施させること、
を特徴とするハンズフリー通話装置。
【請求項４】
請求項１〜３のいずれか一項に記載のハンズフリー通話装置において、
前記信号処理部は、前記収音部において収音した音声信号に含まれるエコー成分を除去するための信号処理を音声信号に施すこと、
を特徴とするハンズフリー通話装置。
【請求項５】
請求項１〜４のいずれか一項に記載のハンズフリー通話装置において、
前記信号処理部は、前記収音部において収音した音声信号または前記再生部において再生される音声信号に含まれるノイズ成分を低減するための信号処理を施すこと、
を特徴とするハンズフリー通話装置。
【請求項６】
請求項１〜５のいずれか一項に記載のハンズフリー通話装置において、
当該ハンズフリー通話装置は車両内に設置される車載用のハンズフリー通話装置であること、
を特徴とするハンズフリー通話装置。
【請求項７】
携帯電話端末と所定の通信プロトコルに従って、収音された音声信号を送信するとともに前記携帯電話端末から音声信号を受信する通信部と、
収音された音声信号または前記携帯電話端末から受信した音声信号に対して音質を所定の状態に調整するための信号処理を施す信号処理部と、
前記通信部を介して、通話時の音質を調整するための音質調整機能を有する携帯電話端末が通信接続された場合、前記携帯電話端末から前記音質調整機能に関する情報を取得して、前記携帯電話端末における前記音質調整機能の停止が可能であると判別した場合には前記携帯電話端末に所定の制御コマンドを送信して、前記携帯電話端末における前記音質調整機能を停止させた上で、前記信号処理部に前記信号処理を行わせるように制御する制御部と、
を備えることを特徴とする音質調整装置。
【発明の詳細な説明】
【技術分野】
【０００１】
本発明は、携帯電話端末をハンズフリーで通話可能とするハンズフリー通話装置およびハンズフリー通話時の音質を調整するために用いる音質調整装置に関する。
【背景技術】
【０００２】
従来、自動車等の車両内において、ユーザが携帯電話機を把持せずとも、携帯電話機を使用していわゆるハンズフリー通話を可能とするハンズフリー通話装置が知られている。この種のハンズフリー通話装置は携帯電話機との間で、Bluetooth（登録商標）プロトコルなどに従って近距離無線通信を行い、音声信号を送受信することで、例えば、運転者や同乗者が携帯電話機をハンズフリーで通話できるようにしている（例えば、特許文献１参照）。この種のハンズフリー通話装置において、ヘッドセット型のマイクロフォンやイヤフォンではなく、据置型のマイクロフォンやスピーカを用いた場合、スピーカから拡声された声がマイクロフォンに回り込むことにより生じるエコーやハウリング、自動車の走行に伴うエンジン音等のノイズなどの影響が大きくなる。このため、これらのハンズフリー通話装置の中には通話品質を向上するために、エコーキャンセラ機能やノイズリダクション機能などの通話時の音質を調整する機能を備えたものがある。
【特許文献１】特開平１０−２７６２６１号公報
【発明の開示】
【発明が解決しようとする課題】
【０００３】
ところで、ハンズフリー通話装置に通信接続される携帯電話機の機種によっては、上記のエコーキャンセラ機能やノイズリダクション機能等の音質調整機能を備えるものがある。また、ハンズフリー通話装置と接続された場合にこれらの機能が停止されているか否かは携帯電話機の機種やユーザの設定等によって異なる。
一方、ハンズフリー通話装置は、設置される車種および携帯電話機の機種等に応じて、通話時の通話品質が最適になるように、エコーやノイズを取り除く際に用いるパラメータの値が調整されている。しかしながら、携帯電話機の機種やユーザの設定等によって音質調整機能が停止されていたり、音質調整機能が働いていたりするのでは、接続される携帯電話機の機種等によってハンズフリー通話時の通話品質が変化してしまうという課題があった。【０００４】
本発明の課題は、接続時の携帯電話機の音質調整機能の設定によらず一定の通話品質を保つことのできるハンズフリー通話装置およびハンズフリー通話時の音質を調整するために用いる音質調整装置を提供することにある。
【課題を解決するための手段】
【０００５】
本発明のハンズフリー通話装置は、音声を収音して音声信号に変換する収音部と、携帯電話端末と所定の通信プロトコルに従って、前記音声信号を送信するとともに前記携帯電話端末から音声信号を受信する通信部と、前記通信部において受信した音声信号を再生する再生部とを備え、前記携帯電話端末をハンズフリーで通話可能とするハンズフリー通話装置において、前記収音部において変換した音声信号または前記再生部において再生する音声信号に対して音質を所定の状態に調整するための信号処理を施す信号処理部と、前記通信部を介して、通話時の音質を調整するための音質調整機能を有する前記携帯電話端末が通信接続された場合、前記携帯電話端末から音質調整機能に関する情報を取得して、前記携帯電話端末における前記音質調整機能の停止が可能であると判別した場合には前記携帯電話端末に所定の制御コマンドを送信して、前記携帯電話端末における前記音質調整機能を停止させた上で、前記信号処理部に前記信号処理を行わせるように制御する制御部と、を備えることを特徴とする。【０００６】
この構成では、通信部を介して所定の通信プロトコルにより携帯電話端末との間で音声信号を送受信することにより携帯電話端末をハンズフリーで通話可能とするハンズフリー通話装置において、接続される携帯電話端末から、当該携帯電話端末における音質調整機能に関する情報を取得して、携帯電話端末の音質調整機能を停止させることができる場合には、携帯電話端末側の音質調整機能を停止させた上で、当該ハンズフリー通話装置の信号処理部において収音部において変換した音声信号または再生部において再生する音声信号に対して音質を所定の状態に調整するための信号処理を施すので、接続時の携帯電話端末の音質調整機能の設定によらず、一定の通話品質を保つことができる。【０００７】
上記構成において、前記携帯電話端末の機種毎に、前記信号処理部において前記信号処理の際に使用するパラメータ値を予め対応付けたパラメータ設定テーブルを記憶する記憶部を備え、前記音質調整機能に関する情報は、前記携帯電話端末の機種に関する情報を含み、前記制御部は前記パラメータ設定テーブルを参照して、信号処理部において前記信号処理の際に使用するパラメータの値を前記携帯電話端末の機種に予め対応付けられた値に設定してもよい。【０００８】
また、上記の構成において、上記構成のハンズフリー通話装置において、前記信号処理部が音声信号に対して前記信号処理を施す際に用いるパラメータの標準値を記憶する記憶部を備え、前記制御部は、前記パラメータ設定テーブルに含まれない機種の携帯電話端末が接続された場合には、前記標準値を用いて前記信号処理部に前記音声信号に対して前記信号処理を施させてもよい。【０００９】
また、上記の構成において、前記信号処理部は、前記収音部において収音した音声信号に含まれるエコー成分を除去するための信号処理を音声信号に施してもよい。【００１０】
また、上記の構成において、前記信号処理部は、前記収音部において収音した音声信号または前記再生部において再生される音声信号に含まれるノイズ成分を低減するための信号処理を施してもよい。【００１１】
また、上記の構成において、当該ハンズフリー通話装置は車両内に設置される車載用のハンズフリー通話装置であってもよい。【００１２】
また、本発明の音質調整装置は、携帯電話端末と所定の通信プロトコルに従って、収音された音声信号を送信するとともに前記携帯電話端末から音声信号を受信する通信部と、収音された音声信号または前記携帯電話端末から受信した音声信号に対して音質を所定の状態に調整するための信号処理を施す信号処理部と、前記通信部を介して、通話時の音質を調整するための音質調整機能を有する携帯電話端末が通信接続された場合、前記携帯電話端末から前記音質調整機能に関する情報を取得して、前記携帯電話端末における前記音質調整機能の停止が可能であると判別した場合には前記携帯電話端末に所定の制御コマンドを送信して、前記携帯電話端末における前記音質調整機能を停止させた上で、前記信号処理部に前記信号処理を行わせるように制御する制御部とを備えることを特徴とする。
【発明の効果】
【００１３】
本発明によれば、通信部を介して接続される携帯電話端末から、当該携帯電話端末における音質調整機能に関する情報を取得して、携帯電話端末の音質調整機能を停止させることができる場合には、携帯電話端末側の音質調整機能を停止させた上で、当該ハンズフリー通話装置の信号処理部において収音部において変換した音声信号または再生部において再生する音声信号に対して音質を所定の状態に調整するための信号処理を施すので、接続時の携帯電話端末の音質調整機能の設定によらず、一定の通話品質を保つことができる。
【図面の簡単な説明】
【００１４】
【図１】本発明に係るハンズフリー通話装置の使用の態様を示す図である。
【図２】ハンズフリー通話装置の機能的構成を示すブロック図である。
【図３】パラメータ設定テーブルの構成を示す図である。
【図４】ハンズフリー通話装置の動作を示すフローチャートである。
【符号の説明】
【００１５】
１０  ハンズフリー通話装置
１１  収音部
１２  近距離無線通信部（通信部）
１３  再生部
１４  信号処理部
１５  記憶部
１５ａ  パラメータ設定テーブル格納領域
１６  制御部
２０  携帯電話機（携帯電話端末）
３０  パラメータ設定テーブル
１００  車両
【発明を実施するための最良の形態】
【００１６】
以下、本発明の一実施の形態を、図面に基づき説明する。
図１に示すように、本発明の一実施の形態に係るハンズフリー通話装置１０は、自動車等の車両１００に搭載される車載器として構成され、当該車両１００を運転する運転者や同乗者が所有する一又は複数の携帯電話機２０と所定の通信プロトコルに従って通信を行い、これらの携帯電話機２０に対してハンズフリー通話を可能にする装置である。【００１７】
ハンズフリー通話装置１０と携帯電話機２０（携帯電話端末）との間は、例えば、近距離無線通信の一つであるBluetooth（登録商標）を用いて、無線通信により音声信号の送受信を行うことができる。なお、近距離無線通信として無線ＬＡＮを用いる構成としても良く、また、無線通信に限らず、有線通信であっても良いが本実施の形態では無線通信を行うものとして以下説明する。【００１８】
図２は、上記ハンズフリー通話装置１０の機能的構成を、携帯電話機２０と共に示すブロック図である。携帯電話機２０は、図示しない移動通信網を介して携帯端末キャリアを受信或いは送信して、他の携帯端末や固定電話と通話通信するものであり、内蔵スピーカや内蔵マイク、電話通信のための通信部、音声通信やデータ通信のための通信端子といった一般的な携帯電話機２０が有する構成を備えると共に、ハンズフリー通話装置１０と上述した所定のプロトコルに従って近距離無線通信するための近距離無線通信用の通信モジュール（例えば、Bluetoothモジュール）（図示略）を備えている。【００１９】
一方、ハンズフリー通話装置１０は、図２に示すように、収音部１１と、近距離無線通信部１２（通信部）と、再生部１３と、信号処理部１４と、記憶部１５と、制御部１６とを備えている。【００２０】
収音部１１は、車両１００内に配置される据置型のマイクロフォン１１ａと、ハンズフリー通話装置１０の内部に配置されるゲイン調整回路１１ｂとを備えている。マイクロフォン１１ａは、無指向性の小型マイクであり、話者（運転者や搭乗者等）が発話した音声をアナログの音声信号に変換して、ゲイン調整回路１１ｂに出力するものである。ゲイン調整回路１１ｂは、信号増幅回路であり、マイクロフォン１１ａから出力される音声信号の増幅を行うものである。このゲイン調整回路１１ｂは、制御部１６により設定されるマイクゲイン値に従って、マイクロフォン１１ａから出力される音声信号を増幅する。【００２１】
近距離無線通信部１２は、制御部１６の制御の下、車両１００内の携帯電話機２０と所定の通信プロトコルに従って近距離無線通信を行うものであり、携帯電話機２０に着信があった場合に送信される着信トリガ信号を受信して、制御部１６に出力し、携帯電話機２０から送信された受話音声（音声信号）を受信して、再生部１３に出力すると共に、送話音声（音声信号）を収音部１１から受け取り携帯電話機２０に送信するものである。例えば、所定の通信プロトコルとして上述したBluetoothプロトコルに従う場合、Bluetoothモジュールを用いて構成することができる。【００２２】
また、近距離無線通信部１２は、上述した所定の通信プロトコルに従って、携帯電話機２０を通信相手方として登録（無線通信接続）するため、各種登録信号および登録データの送受信も行う。また、近距離無線通信部１２は、上述した所定の通信プロトコルに従って、通信相手方の携帯電話機２０から、その携帯電話機２０の音質調整機能に関する情報を取得する。この音質調整機能に関する情報とは、携帯電話機２０の機種に関する情報や、通信相手方の携帯電話機２０がエコーキャンセラ機能やノイズリダクション機能などの通話時の音質を調整するための音質調整機能の有無に関する情報、この音質調整機能の停止の可否に関する情報を含む。ここで、音質調整機能の停止の可否に関する情報とは、ハンズフリー通話装置１０から所定の制御コマンドを送信することにより、通信接続された携帯電話機２０における音質調整機能を停止させることができるか否かに関する情報をいう。【００２３】
なお、当該ハンズフリー通話装置１０と携帯電話機２０とを有線にて接続可能とする場合には、ハンズフリー通話装置１０に通信ケーブルが接続される通信Ｉ／Ｆ（インターフェース）を設け、当該通信Ｉ／Ｆを介して携帯電話機２０と受話音声、送話音声及び各種制御コマンドを送受する構成とすれば良い。【００２４】
再生部１３は、車両１００内に配置されるスピーカ１３ａと、ハンズフリー通話装置１０内部に配置されるアンプ１３ｂとを備えている。再生部１３は、制御部１６の制御の下、携帯電話機２０から近距離無線通信部１２を介して受信した音声信号をアンプ１３ｂにより所定の音量に増幅して受話音声として再生し、スピーカ１３ａにより車両１００内に向けて再生音声を出力するものである。なお、車両１００にカーオーディオ装置等が搭載されている場合には、当該カーオーディオ装置が有するオーディオアンプやスピーカを介して音声を出力する構成としても良い。【００２５】
信号処理部１４は、制御部１６の制御の下、収音部１１において変換した音声信号または再生部１３において再生する音声信号に対して、音質を所定の状態に調整するための信号処理を施すものである。具体的には、信号処理部１４はいわゆるエコーキャンセラ装置やノイズリダクション装置を備え、再生部１３において拡声再生された音声が収音部１１により収音されたり、走行時のエンジン音などが収音されることにより音声信号に含まれるエコー成分やノイズ成分を除去あるいは低減するための信号処理を音声信号に対して施す。音声信号に対して信号処理を施す際に、信号処理部１４は制御部１６により設定されるパラメータ値に基づいて信号処理を施す。【００２６】
記憶部１５は、制御部１６によって実行される制御プログラムや各種データを記憶するものであり、ＲＯＭやＲＡＭ等のメモリ素子を備え、制御部１６によりアクセス可能に構成されたものである。また、記憶部１５は、上記パラメータ値を設定するために、予め携帯電話機２０の機種情報３１に、その機種の携帯電話機２０が通信接続された場合に設定すべきパラメータ値等のパラメータ情報３２を対応付けたパラメータ設定テーブル３０を格納するパラメータ設定テーブル格納領域１５ａを有する（図３参照）。【００２７】
パラメータ設定テーブル３０は、制御部１６が信号処理部１４に対して音声信号に信号処理を施させる際に用いるパラメータ値を設定するために参照されるもので、携帯電話機２０の機種情報３１毎に、上記パラメータ情報３２が対応付けられている他、予め携帯電話機２０の機種によって音質調整機能の有無や音質調整機能の停止の可否が把握されている場合には、これらの音質調整機能の有無に関する情報３３や音質調整機能の停止の可否に関する情報３４が対応付けられる。この様に予め携帯電話機２０の機種情報３１と音質調整機能の有無に関する情報３３や音質調整機能の停止の可否に関する情報３４をパラメータ情報３２とともに対応付けておくことで、携帯電話機２０の機種に関する情報を携帯電話機２０の音質調整機能に関する情報として取り扱うことができ、携帯電話機２０から当該携帯電話機２０の機種に関する情報を取得するだけで、パラメータ設定テーブル３０を参照することにより当該携帯電話機２０の音声調整機能の有無やその停止の可否を制御部１６は判別することができる。【００２８】
パラメータ情報３２は、例えば、信号処理部１４において音声信号からエコー成分を除去するために用いる適応フィルタのフィルタ係数や、ノイズ成分等を除去するために用いる適応フィルタのフィルタ係数あるいはマイクゲイン値などの各パラメータ値に関する情報を含む。これらのパラメータ値は、通信接続される携帯電話機２０の機種毎に、ハンズフリー通話装置１０が設置される車両１００の車種において通話品質が最適となるように予め設定される。【００２９】
この際、携帯電話機２０の機種やユーザの設定によって、エコーキャンセラ機能やノイズリダクション機能などの音質調整機能の有無やハンズフリー通話装置１０と通信接続した際に音質調整機能が停止されるか否かが異なる。
そこで、例えば、図３において携帯電話機２０の機種がＡＡ−１、ＡＡ−２の様に、携帯電話機２０が音質調整機能を有する場合であって、ハンズフリー通話装置１０から携帯電話機２０に対して所定の制御コマンドを送信することで携帯電話機２０側の音質調整機能を停止させることができる場合は、その携帯電話機２０の機種において音質調整機能を停止させた場合に通話品質が最適となるようなパラメータ値がパラメータ情報Ｐ１、Ｐ２において設定される。【００３０】
また、例えば、携帯電話機２０の機種がＢＢ−１の様に、音質調整機能を有する場合で、ハンズフリー通話装置１０が携帯電話機２０側の音質調整機能を停止させることができない場合は、その携帯電話機２０の有する音質調整機能が発揮された状態で、通話品質が最適となるようなパラメータ値がパラメータ情報Ｐ３において設定される。
また、例えば、携帯電話機２０の機種がＢＢ−２の様に、音声調整機能を有していない場合には、その携帯電話機２０の機種において通話品質が最適となるようなパラメータ値がパラメータ情報Ｐ４において設定される。【００３１】
一方、このハンズフリー通話装置１０に通信接続された携帯電話機２０の機種がパラメータ設定テーブル３０に含まれない機種である場合、すなわち、ハンズフリー通話装置１０側で機種不明と判別されるものについては、デフォルトとなるパラメータ値（パラメータの標準値）が設定されている。ここで、デフォルトとなるパラメータ値は、３種類のものが予め設定される。例えば、機種が不明であるが、音質調整機能を有し、かつ、この音質調整機能を停止させることができることが判別された場合に用いるパラメータの標準値がパラメータ情報ＰＯ１において設定される。また、音質調整機能を有するが、この音質調整機能を停止させることができないと判別された場合に用いるパラメータの標準値がパラメータ情報ＰＯ２において設定される。また、機種が不明であり、音質調整機能が無い場合あるいはその有無が不明である場合に用いるパラメータの標準値がパラメータ情報ＰＯ３において設定される。【００３２】
但し、パラメータ設定テーブル３０は書き換え可能に構成されることが好ましい。そして、パラメータ設定テーブル３０に含まれない機種の携帯電話機２０が通信接続された場合には、その携帯電話機２０から、携帯電話機２０の機種に関する情報を含む音質調整機能に関する情報を取得して、その携帯電話機２０の機種情報および音声調整機能の有無に関する情報や音質調整機能の停止の可否情報等を対応付けてパラメータ設定テーブル３０に順次登録する構成とすると好ましい。この際、当該機種情報３１に対応付けられるパラメータ情報３２は、携帯電話機２０の音質調整機能の有無およびその停止の可否に応じて選択されるパラメータ情報ＰＯ１〜ＰＯ３のいずれかとすることができる。また、携帯電話機２０の機種に応じて各機種情報３１に対応付けられたパラメータ情報３２は、ユーザが通話時に図示しない操作部等を介してチューニング等を行うことにより適宜ユーザ好みの音質状態となるようにパラメータ値に書き換えることができるように構成することが好ましい。この様に構成することにより、ハンズフリー通話装置１０を用いて携帯電話機２０をハンズフリーで通話する際の音質をユーザ好みの状態に設定することができる。【００３３】
制御部１６は、ＣＰＵ等を用いて構成され、記憶部１５に記憶された各種制御プログラム等に従って、携帯電話機２０をハンズフリーで通話可能となるように上記各部を制御するものである。制御部１６は、近距離無線通信部１２を介して携帯電話機２０から着信トリガ信号を受け取ると、着信のあった携帯電話機２０をハンズフリー通話状態とすべく、各種制御コマンドを近距離無線通信部１２を介して携帯電話機２０に送信し、当該携帯電話機２０に対して、内蔵スピーカからの音声出力及び内蔵マイクからの音声入力を禁止させると共に、受話音声を内蔵の近距離無線通信部１２を介して送信させて、当該携帯電話機２０の動作モードをハンズフリー通話モードに移行させる。【００３４】
また、制御部１６は、携帯電話機２０の動作モードをハンズフリー通話モードから単独使用可能な通常動作モードに移行させる際には、近距離無線通信部１２を介して当該携帯電話機２０に対して各種制御コマンドを送信し、内蔵スピーカの音声出力及び内蔵マイクからの音声入力を許可する。【００３５】
また、制御部１６は、携帯電話機２０の動作モードを上述の様にハンズフリー通話モードに移行させる際に、携帯電話機２０から音質調整機能に関する情報として、本実施の形態では携帯電話機２０の機種に関する情報を取得し、以下のようにして信号処理部１４において音声信号に対して信号処理を施す際に用いるパラメータ値を設定する。【００３６】
以下、このパラメータ値の設定に係る動作について図４を参照して説明する。
図４に示すように、制御部１６は、先ず、車両１００内に存在する携帯電話機２０と近距離無線通信部１２を介して所定の通信プロトコルに従って、無線通信接続を開始し、携帯電話機２０に対して携帯電話機２０の応答要求を送信する（ステップＳ１）。そして、応答を返した携帯電話機２０と同期通信を確立すると共に、当該携帯電話機２０の機種に関する情報等の識別ＩＤを取得して、記憶部１５の所定の記憶領域に記憶する（ステップＳ２）。【００３７】
次に、制御部１６は、パラメータ設定テーブル３０を参照して、携帯電話機２０から取得した機種に関する情報に基づき、現在通信接続している携帯電話機２０の音質調整機能の有無を判別する（ステップＳ３）。この携帯電話機２０が音質調整機能を有する場合（ステップＳ３：Ｙ）、次に携帯電話機２０側の音質調整機能の停止の可否を判別する（ステップＳ４）。そして、携帯電話機２０側の音質調整機能を停止させることができると判別した場合（ステップＳ４：Ｙ）には、携帯電話機２０に音質調整機能を停止させるための所定の制御コマンドを送信して携帯電話機２０側の音質調整機能を停止させる（ステップＳ５）。【００３８】
このように、携帯電話機２０側の音質調整機能を停止させることができる場合（ステップＳ４：Ｙ）には、音質調整機能を停止させた（ステップＳ５）上で、制御部１６はパラメータ設定テーブル３０を参照して、現在通信接続している携帯電話機２０の機種情報３１に対応するパラメータ情報３２を読み出して信号処理部１４において用いるパラメータ値を設定する（ステップＳ６）。【００３９】
例えば、図３に例示する場合において、現在通信接続している携帯電話機２０の機種がＡＡ−１（ＡＡ−２）である場合には、パラメータ情報Ｐ１（Ｐ２）が読み出され、このパラメータ情報Ｐ１に対応するパラメータ値が設定される。ここで、現在通信接続している携帯電話機２０の機種がパラメータ設定テーブル３０に含まれない場合は、音質調整機能を有し、それを停止させることが出来る場合のパラメータの標準値として設定されたパラメータ情報ＰＯ１が参照されてパラメータ値が設定される。【００４０】
一方、携帯電話機２０側の音質調整機能を停止させることができないまたは停止の可否が不明である場合（ステップＳ４：Ｎ／不明）、制御部１６はパラメータ設定テーブル３０を参照して携帯電話機２０の機種情報３１に対応するパラメータ情報３２を読み出して信号処理部１４において用いるパラメータ値を設定する（ステップＳ６）。【００４１】
例えば、図３に例示する場合において、現在通信接続している携帯電話機２０の機種がＢＢ−１である場合には、パラメータ情報Ｐ３が読み出され、このパラメータ情報Ｐ３に対応するパラメータ値が設定される。ここで、現在通信接続している携帯電話機２０の機種がパラメータ設定テーブル３０に含まれない場合は、音質調整機能を有し、それを停止させることが出来ない場合又は不明の場合のパラメータの標準値として設定されたパラメータ情報ＰＯ２が参照されてパラメータ値が設定される。【００４２】
また、現在通信接続している携帯電話機２０が音質調整機能を有さない機種又は音質調整機能の有無が不明である場合（ステップＳ３：Ｎ／不明）、制御部１６はパラメータ設定テーブル３０を参照して携帯電話機２０の機種情報３１に対応するパラメータ情報３２を読み出して信号処理部１４において用いるパラメータ値を設定する。【００４３】
例えば、図３に例示する場合において、現在通信接続している携帯電話機２０の機種がＢＢ−２である場合には、これに対応するパラメータ情報Ｐ４が読み出され、このパラメータ情報Ｐ４に対応するパラメータ値が設定される。ここで、現在通信接続している携帯電話機２０の機種がパラメータ設定テーブル３０に含まれない場合は、音声調整機能が無い場合又は不明である場合のパラメータの標準値として設定されたパラメータ情報ＰＯ３が読み出され、このパラメータ情報ＰＯ３に対応するパラメータ値が設定される。【００４４】
以上の様に、制御部１６は信号処理部１４において用いるパラメータの値を設定した後、各携帯電話機２０がハンズフリー通話装置１０に無線接続されている状態において、制御部１６は、これらの携帯電話機２０への着呼、及び、発呼を監視し、携帯電話機２０の着呼、或いは、発呼を検出したときには、近距離無線通信部１２を介して、その携帯電話機２０に対して制御コマンドを送信し、その携帯電話機２０の動作モードをハンズフリー通話モードに移行させて、ハンズフリー通話を開始可能に制御する。【００４５】
以上説明した本実施の形態のハンズフリー通話装置１０によれば、近距離無線通信部１２を介して所定の通信プロトコルにより携帯電話機２０との間で音声信号を送受信することにより携帯電話機２０をハンズフリーで通話可能とするハンズフリー通話装置１０において、接続される携帯電話機２０から、当該携帯電話機２０における音質調整機能に関する情報を取得して、携帯電話機２０の音質調整機能を停止させることができる場合には、携帯電話機２０側の音質調整機能を停止させた上で、当該ハンズフリー通話装置１０の信号処理部１４において収音部１１において変換した音声信号または再生部１３において再生する音声信号に対して音質を所定の状態に調整するための信号処理を施すので、接続時の携帯電話機２０の音質調整機能の設定によらず、一定の通話品質を保つことができる。【００４６】
すなわち、音質調整機能を有する携帯電話機２０が接続された場合、携帯電話機２０の機種やユーザの設定によって、この音質調整機能が停止されていたり、停止されていなかったりすることにより、通話時の音質が変動することを防止し、携帯電話機２０の機種やユーザの設定によらず、ハンズフリー通話時の通話品質を一定のレベルに保つことができる。【００４７】
また、本実施の形態では、パラメータ設定テーブル３０において、携帯電話機２０の機種情報３１に予め音質調整機能の有無に関する情報３３や音質調整機能の停止の可否に関する情報３４を対応付けて記憶しているので、携帯電話機２０からは携帯電話機２０の機種に関する情報を携帯電話機２０における音質調整機能に関する情報として取得するだけで、携帯電話機２０側の音質調整機能の有無に関する情報３３や音質調整機能の停止の可否に関する情報３４を制御部１６は取得することができる。また、携帯電話機２０の機種毎に、音質調整機能の有無および音質調整機能の停止の可否に応じて、通話時の音質が最適となるようなパラメータ値を予め設定しているので、このパラメータ値を用いて信号処理部１４において音声信号に対して信号処理を施すことにより、音声信号に含まれるエコー成分やノイズ成分を取り除いて通話時の音質を携帯電話機２０毎に最適に調整することができる。【００４８】
また、本実施の形態では、通信接続された携帯電話機２０の機種がパラメータ設定テーブル３０に含まれない場合は、音質調整機能の有無およびその停止の可否に応じて設定された三種類のパラメータ情報ＰＯ１〜ＰＯ３を有するので、ハンズフリー通話装置１０において通信接続された携帯電話機２０の機種情報３１を予めパラメータ設定テーブル３０に登録されていない場合でも、信号処理部１４においてパラメータの標準値を用いて音声信号に対して信号処理を施してハンズフリー通話時の通話品質を一定レベルに保つことができる。【００４９】
さらに、本実施の形態では、パラメータ設定テーブル３０を書き換え可能に構成し、通信接続された形態電機の機種がパラメータ設定テーブル３０に含まれない場合には、パラメータ設定テーブル３０に順次登録できる構成としたので、次に同じ機種の携帯電話機２０が通信接続された場合には、携帯電話機２０との間で、音質調整機能の有無に関する情報や音質調整機能の停止の可否に関する情報を取得しなくとも、携帯電話機２０の機種情報を取得するだけで、パラメータ設定テーブル３０を参照することにより、これらの情報をハンズフリー通話装置１０側で取得することができる。【００５０】
以上、説明した実施の形態は本発明の一態様であり、本発明の趣旨を逸脱しない範囲において適宜変更可能であるのは勿論である。
例えば、上記実施の形態においては、予めパラメータ設定テーブル３０において、携帯電話機２０の機種毎に、その機種情報３１に音質調整機能の有無に関する情報３３や音質調整機能の停止の可否に関する情報３４を対応付けて記憶させる構成としたが、携帯電話機２０との間で所定の通信プロトコルに従って通信することにより、これらの情報を携帯電話機２０から直接取得する構成としてもよいのは勿論である。【００５１】
また、上記実施の形態のハンズフリー通話装置１０では収音部１１や再生部１３を備える構成としたが、上述したように車両１００にカーオーディオ装置等が搭載されている場合には、当該カーオーディオ装置が備えるオーディオアンプやスピーカなどを利用して、外付けのマイクロフォンを用いることにより、図２に示した近距離無線通信部１２と信号処理部１４と記憶部１５と制御部１６と略同様の構成を備えた音質調整装置としてもよいのは勿論である。【００５２】
また、上記実施の形態のハンズフリー通話装置１０は車両１００に設置される車載用のものとして説明したが、本発明に係るハンズフリー通話装置１０は車載用に限定される趣旨ではなく、会議室などの居室内に設置されるものであってもよいのは勿論である。
【図１】
2008026529.tif 000003
【図２】
2008026529.tif 000004
【図３】
2008026529.tif 000005
【図４】
2008026529.tif 000006
【国際調査報告】
2008026529.tif 000007
2008026529.tif 000008
2008026529.tif 000009
2008026529.tif 000010